(57)【要約】【課題】ロール紙ホルダにおけるロール紙空心受けの対向復帰動作の不安定要素を簡易な構成で除去すること。【解決手段】ロール紙ホルダＨにおける左右の側体１にそれぞれ自己対向復帰するロール紙空心受け２を枢支するに当たり、下鍔３を有する対向枢軸４の中間切欠５内に可撓復元弾性素材で先細偏平リング状に成形した対向弾片６の固定基部７を前記切欠５の範囲内で撓み曲げ可能に抜け止め突設し、この対向弾片６に下部開放のロール紙空心受け２を被せ、その枢支孔２Ａを前記対向枢軸４に係入した状態で、この対向枢軸４の上部に突設した係止鉤縁４Ａを前記側体下部の係止孔縁１Ａに係合させることで、対向枢軸４を各側体の下部に取着し、これら各側体１に対しロール紙空心受け２を前記対向弾片６の直線化復元弾力で対向復帰可能に枢支した。【選択図】    図１
2004321441.tif 000002
【特許請求の範囲】
【請求項１】
ロール紙ホルダにおける左右の側体にそれぞれ自己対向復帰のロール紙空心受けを枢支するに当たり、下鍔付き対向枢軸に先細偏平リング状に成形した対向弾片の固定基部を固着し、この対向弾片に下部開放のロール紙空心受けを被せ、その枢支孔を前記対向枢軸に係入した状態で、この対向枢軸の上部に突設した係止鉤縁を前記側体の下部に形成した係止孔縁に係合させることで、対向枢軸を各側体の下部に取着し、これら各側体にロール紙空心受けを前記対向弾片の直線化復元弾力で対向復帰可能に枢支してなるロール紙保持装置。
【請求項２】
平面ほぼコ字状のロール紙ホルダＨにおける左右の側体１に自己対向復帰のロール紙空心受け２を枢支したロール紙保持装置において、下鍔３を有する対向枢軸４の中間切欠５内に可撓復元弾性素材で先細偏平リング状に成形した対向弾片６をその固定基部７により前記切欠５の範囲内で撓み曲げ可能に抜け止め突設し、この対向弾片６に下部開放のロール紙空心受け２を被せ、その枢支孔２Ａを前記対向枢軸４に係入した状態で、この対向枢軸４の上部に突設した係止鉤縁４Ａを前記側体下部の係止孔縁１Ａに係合させることで、対向枢軸４を各側体の下部に取着し、これら各側体１に対しロール紙空心受け２を前記対向弾片６の直線化復元弾力で対向復帰可能に枢支してなるロール紙保持装置。
【請求項３】
平面ほぼヨ字状の横隣設一体化ロール紙ホルダにおける三つの側体１にそれぞれ自己対向復帰のロール紙空心受け２を枢支したロール紙保持装置において、下鍔３を有する対向枢軸４に可撓復元弾性素材で先細偏平リング状に成形した対向弾片６をその固定基部７により撓み曲げ可能に抜け止め突設し、この対向弾片６に下部開放のロール紙空心受け２を被せ、その枢支孔２Ａを前記対向枢軸４に係入した状態で、この対向枢軸４の上部に突設した係止鉤縁４Ａを前記側体１の下部に形成した係止孔縁１Ａに係合させることで、対向枢軸４を前記各側体の下部に取着し、これら各側体１に対しロール紙空心受け２を前記対向弾片６の直線化復元弾力で対向復帰可能に枢支してなるロール紙保持装置。
【請求項４】
前記ロール紙空心受け２内の対向弾片６をその直線化復元弾力に抗し外力で傾動させることで、対向弾片６に大小二つの強制曲がり部６Ａ・６Ｂと一つの膨出曲がり部６Ｃとの合計三つの曲がり部を形成して対向弾片６をクネリ撓み曲げた後、この対向弾片６の傾動解除により、上記強制曲がり部６Ａ・６Ｂ固有の直線化復元弾力と膨出曲がり部６Ｃ自体の直線化復元弾力との和の前記合計三つの直線化復元弾力で前記対向弾片６を原状復帰可能となした請求項１から請求項３までのいずれか一つの請求項に記載のロール紙保持装置。
【請求項５】
前記対向弾片６の固定基部７の先端に抜け止め突部７Ａを突設し、この抜け止め突部７Ａを前記対向枢軸４の側面に弾接させることで、対向枢軸４に対する対向弾片６の抜け止めを施こしてなる請求項１から請求項４までのいずれか一つの請求項に記載のロール紙保持装置。
【請求項６】
前記ロール紙ホルダＨとして、前記ロール紙空心受け２に空心ｒで回転可能に支持したロール紙Ｒの上部前寄り外周面に前記ロール紙ホルダＨの後側左右枢支部で起伏可能に枢支した紙切り板Ｐの前辺下面を圧接し、この前辺下面を経て前方へ繰り出したロール紙Ｒの繰り出し部を前記紙切り板Ｐの前辺刃先Ｐ１でカット可能となしたロール紙ホルダを用いた請求項１から請求項５までのいずれか一つの請求項に記載のロール紙保持装置。
【請求項７】
前記対向弾片６としてポリエステル・エラストマを射出成形した対向弾片６を用いてなる請求項１から請求項６までのいずれか一つの請求項に記載のロール紙保持装置。
【発明の詳細な説明】
【０００１】
【発明の属する技術分野】
この発明は、トイレットペーパなどのロール紙または、これに近似したロール巻きシート状物の繰り出し用ホルダの改良に係り、特に本発明では可撓復元弾性部材により対向復帰するロール紙空心受けの対向復元弾力の弱化、すなわち、可撓復元弾性部材固有の所謂「ヘタリ」による前記空心受けの自己対向復帰動作の不安定要素をすべて除去できた自己対向復帰のロール紙保持装置に関する。
【０００２】
【従来の技術】
自己対向復帰のロール紙保持装置を用いたロール紙ホルダには、従来、例えば特開平９−２１５６２８号公報記載のもの、および特開平１０−１２７５２５号公報中、図１０と図１１および、その説明文記載のものが周知である。
【０００３】
これらの各従来の技術は、いずれも平面ほぼ「コ」字状または「ヨ」字状のロール紙ホルダにおける複数の側体の各対向面にそれぞれ撓みばねで対向突出復帰するロール紙空心受けを常には対向して設け、これらの受け間にその前方からロール紙を差し入れてロール紙をその芯管または空心で上記各ロール紙空心受けに枢支セットして用いるのであるが、この枢支セット時には、予め自己対向復帰している上記左右の各空心受けをその突出弾力に抗してロール紙側面で後方に斜めに押し傾けながらロール紙を後方に動かし、ロール紙芯管または空心の左右開口縁が空心受け先端に対向したとき、上記左右の各ロール紙空心受けをその内向き直線化復元弾力で上記芯管または空心内にそれぞれ突入させることで、ロール紙をロール紙ホルダに対し枢支セットするとしている。
なお、上記各従来のロール紙ホルダから使用済のロール紙芯管を取り除くには、この芯管を手前に引き出すことで、空の芯管内に弾力的に突入している上記左右の各ロール紙空心受けをその自己突出弾力に抗して前方斜めに傾けながら空になったロール紙芯管をロール紙ホルダから取り除けるとしている。
【０００４】
【発明が解決しようとする課題】
これら各従来例は、前記のようにロール紙セット時における各ロール紙空心受けの後方斜め傾動と、空の芯管の取り除き時における前方斜め傾動との後にそれぞれ各空心受けを常にはロール紙ホルダの側体対向面から内向き中立に対向突出復帰させるために、ロール紙ホルダの側体に設けた枢支体に金属線材で作った蔓巻きばね、または可撓復元弾性素材で一枚板状に成形した板ばね単板二枚を枢支体上下に配設し、その基部をそれぞれ枢支体に対し不動に支持して突設し、これら板ばねの撓み弾性復帰部に係合せたロール紙空心受けを前記のように側体に常には対向するように枢支突設したものである。
【０００５】
したがって、これら二つの各従来例は、いずれも左右の各ロール紙空心受けを常には弾力的にロール紙ホルダの側体対向面から内向き中立に対向突出維持するための肝心な可撓復元部材として、金属線材で作った蔓巻きばね、または可撓復元弾性素材で一枚板状に成形した板ばね単板二枚を枢支体上下に配設して用いているが、これら可撓復元部材のうち、金属線材で作った蔓巻きばねは、細い針金を曲げたり巻いたりして複雑な形状に作ってあるので、その製造・管理・運搬・保管・購入・使用のすべての面で扱い辛く不便で面倒であるし、少しの外力でも弾け飛んで紛失し易いという本質的かつ、大きな問題点が有る。
【０００６】
また、前記各従来例における「人」字状や一文字状の板ばね単板を枢支体上下に配設して用いた例では、板ばね単板自体が可撓プラスチック製の薄い一枚板であるからその可撓復元弾力はもともと弱い上に、板ばね単板二枚を一枚ずつ枢支体上下に配設して用いているから、各板ばね単板の縦幅を空心受けの中空内法高さの約半分と幅狭にしなければならず、各板ばね単板の可撓復元弾力がますます弱化するとともに、前記のようにロール紙セット時における各空心受けの後方斜め傾動と空の芯管の取り除き時における各空心受けの前方斜め傾動の都度、各板ばね単板にその弾撥力に抗して加わる曲げ応力は、各板ばね単板の強制曲がり部だけに集中して繰り返し加わるため、上記板ばねに曲がり癖が付き部分的に機械疲労し易く、その直線化復元弾力が極端に弱くなってしまうという可撓復元部材固有の所謂「ヘタリ」が生じ、使用途中で空心受けの対向復帰位置が著しく不安定になって使い物にならなくなったり、特に前記各板ばね単板の強制曲がり部にその弾性復帰限界以上の曲げ応力が集中的に繰り返し加わったような場合には、一発で使い物にならなくなるという本質的かつ、大きな問題点が有る。
【０００７】
この発明は、平面ほぼコ字状やヨ字状のロール紙ホルダにおける左右の側体にそれぞれ可撓復元部材により自己対向復帰するロール紙空心受けを枢支するに当たり、上記可撓復元部材に改良工夫を施すことで、その直線化復元弾力の弱化、すなわち、可撓弾性部材固有の所謂「ヘタリ」によるロール紙空心受けの自己対向復帰動作の不安定要素を簡易な構成ですべて除去することを目的とする。
【０００８】
【課題を解決するための手段】
上記したこの発明の目的は、平面ほぼコ字状やヨ字状のロール紙ホルダにおける左右の各側体にそれぞれ自己対向復帰のロール紙空心受けを枢支するに当たり、下鍔を有する対向枢軸に先細偏平リング状の対向弾片の固定基部を抜け止め突設し、この対向弾片に下部開放のロール紙空心受けを被せ、その枢支孔を前記対向枢軸に係入した状態で、この対向枢軸の上部に突設した係止鉤縁を前記各側体の下部に形成した係止孔縁に係合させることで、対向枢軸を側体下部に取着し、これら各側体に対しロール紙空心受けを前記対向弾片の直線化復元弾力で対向復帰可能に枢支したことで達成できた。
【０００９】
【発明の実施の形態】
本発明の実施の形態例について図面を参照して説明する。
先ず、この発明の基本形態は、プラスチックなどで図１のように平面ほぼコ字状に成形したロール紙ホルダＨにおける左右の各側体１にそれぞれ後述する手段により対向枢支した自己対向復帰のロール紙空心受け２にロール紙Ｒをその空心ｒで同図１のように回転可能に支持し、このロール紙Ｒの上部前寄り外周面に前記ホルダの後側左右の枢支部で起伏可能に枢支した紙切り板Ｐの前辺下面を圧接し、この前辺下面を経て前方へ繰り出したロール紙Ｒの繰り出し部を前記紙切り板Ｐの前辺刃先Ｐ１でカットできるロール紙ホルダＨを大略的に構成する。
【００１０】
本発明では、前記左右の各側体１の下部にそれぞれ前記ロール紙空心受け２を枢支するための枢支体Ａとして、下鍔３上にプラスチック製の対向枢軸４を図２のように突設した枢支体Ａを用いる一方、ポリエステル・エラストマなどの可撓復元弾性素材で前記対向枢軸４の高さのほぼ半分の縦幅に先細偏平リング状に成形した図２のような先細端が閉じた対向弾片６の固定基部７を前記対向枢軸４の中間切欠５の部分における間隙に圧入して固着したり、固定基部７を上記間隙に係入しつつその抜け止め突部８Ａを前記対向枢軸４の側面に圧接させることで、前記対向弾片６を対向枢軸４に図１における要部拡大図のように内向きに抜け止め突設した後、この対向弾片６に図２のような下部開放のロール紙空心受け２を被せながら前記各対向枢軸４に空心受け２の枢支孔２Ａを図１における要部拡大図のように係入して枢支する。
【００１１】
次いで、上記ロール紙空心受け２を枢支して備えた対向枢軸４は、その上部を前記各側体１の下部に図１のように空心受け２と共に配置して用いるのであるが、この配置固定手段としては、対向枢軸４の上部に図２のように形成した係止鉤縁４Ａを側体１の下部に形成した結合部１Ｂ（図１の点線部分と図２参照）の係止孔１Ｃに対向枢軸４の先端をその固有弾力に抗しすぼめながら係入後、係止孔縁１Ａから係止鉤縁４Ａが突出した時点で対向枢軸４の原状復帰により、係止孔縁１Ａに係止鉤縁４Ａを同図１およびその要部拡大図のようにパチンと一発係合させて側体１の下部に対向枢軸４の上部を強固に取着することができ、前記ロール紙空心受け２を図１のように前記左右の各側体１にそれぞれ前記対向弾片６の直線化復元弾力で対向復帰可能に枢支できるとともに、前記下鍔３で空心受け２の抜け止めを施すことができた。
【００１２】
本発明の構成は以上のようなもので、以下その基本動作例につき説明する。
先ず、図３（ａ）のような原状にあるロール紙空心受け２を前記先端が閉じた対向弾片６の直線化復元弾力に抗し、手指などの外力により図３（ｂ）、図３（ｃ）のように対向弾片６と共にその固定基部７に対してそれぞれ前後に各別傾動させることで、上記対向弾片６を上記空心受け２の内で上記各図のようにそれぞれ前後交互にクネらせながら全体的に撓ませて強い直線化復元弾力を蓄えることができ、このロール紙空心受け２の傾動解除により、前記対向弾片６の固定基部７に対する直線化復元弾力でロール紙空心受け２を図３（ａ）のように固定基部７に対してほぼ平行の中立突出状態に原状復帰させることができた。
【００１３】
此処で、前記対向弾片６をその直線化復元弾力に抗し固定基部７に対して全体的に「クネリ撓み」変形させた後、この対向弾片６を上記復元弾力で原状復帰させる場合の対向弾片６の自己対向復帰動作について、なお詳細に吟味する。
上記対向弾片６をその直線化復元弾力に抗し、前記ロール紙空心受け２に加えた外力により固定基部７に対して図３（ｂ）、図３（ｃ）のようにそれぞれクネらせながら前後各別に撓ませ曲げたときに、固定基部７付近の各対向弾片６には、それぞれ上記各図のように大小二つの強制曲がり部６Ａ・６Ｂが生じるが、これら各曲がり部のうち、内側小径の強制曲がり部６Ａの内面が外側大径の強制曲がり部６Ｂの内面を各図のように外向きに強く圧迫して各曲がり部６Ａ・６Ｂにそれぞれこれら強制曲がり部単独固有の直線化復元弾力以上の二つの強い直線化復元弾力を蓄えた状態にある。
【００１４】
これと同時に、上記内側小径の強制曲がり部６Ｂには、曲がり径差に基づく余長分が生じて対向弾片６の先細端付近に押し寄せる結果、この先細端付近が上記図３（ｂ）、図３（ｃ）のようにその直線保持弾撥力に抗し部分的に外方に膨らみ、膨出曲がり部６Ｃができて上記余長分を吸収すると共に、この膨出曲がり部６Ｃによっても直線化復元弾力を蓄えることになり、ほぼＵ字状で先端が閉じた対向弾片６全体としては、上記各図のようにそれぞれ交互各別に所謂「クネリ撓み」変形毎に以上合計三つの直線化復元弾力を蓄えた状態となっている。
その後、ロール紙空心受け２の外力解放による対向弾片６の傾動解除により、前記強制曲がり部６Ａ・６Ｂと膨出曲がり部６Ｃとに蓄えた合計三つの強い直線化復元弾力でロール紙空心受け２を図３（ａ）のように固定基部７に対しほぼ平行に中立突出した原状所定位置に復帰させることができた。
【００１５】
また、本発明における前記先細偏平リング状の対向弾片６は、前記外力とその解除により、それぞれ前記各図のように前後方向の全体的な「クネリ撓み」変形と自己中立突出復帰という動作を交互に繰り返すことになるが、この繰り返し動作の都度、対向弾片６に加わる曲げ応力は交互正逆に全体的に分散するため局所的に集中せず、対向弾片６は、上記各図のように全体的に満遍なく交互正逆に変形しながら動くから、前記内外二つの強制曲がり部６Ａ・６Ｂや膨出曲がり部６Ｃにはそれぞれ無理な曲げ応力が集中して加わることがなく、したがって上記対向弾片６を全体的にクネらせながら交互各別に撓ませた後、これを自己中立突出復帰させるという動作を長期に亘り多数回繰り返し実行しても、上記強制曲がり部６Ｂには曲がり癖が付かず、対向弾片６には前記「ヘタリ」が生じない。
【００１６】
本発明における自己対向復帰のロール紙空心受け２の基本的な動作は以上のようなもので、次にロール紙保持装置としての動作について詳細に説明する。
前記図１のようにロール紙ホルダＨにおける左右の側体１の下部に対し、ほぼ直角に自己対向復帰状態にある上記空心受け２間に、その前方からロール紙Ｒを差し入れ、このロール紙をその芯管または空心ｒで上記各空心受け２に図１、図４のように枢支セットして用いるに当たっては、予め自己対向復帰している上記各空心受け２を前記対向弾片６の直線化復元弾力に抗してロール紙側面で図５のように後方斜めに押し傾けながらロール紙を後方に動かし、ロール紙芯管または空心ｒの左右開口縁が空心受け先端に対向したとき、上記左右各ロール紙空心受け２をそれぞれ前述したような直線化復元弾力で図４のように上記芯管または空心ｒ内にそれぞれ突入させて対向維持させることができ、ロール紙Ｒをロール紙ホルダＨに対し前記図１および図４のように枢支セットすることができた。
【００１７】
なお、上記ロール紙ホルダＨから使用済のロール紙芯管ｒを取り除くには、空になった芯管内ｒに突入している上記左右の各ロール紙空心受け２を前記自己対向突出弾力に抗して図６のように前方斜めに傾けながら空の芯管ｒを手前に引き出すことで、ロール紙ホルダＨから取り除けると同時に上記各空心受け２は前記のように原状復帰するから、これら対向復帰済の各空心受け２に新しいロール紙Ｒを前記図５のように枢支セットして再び用いることができる。
【００１８】
【実施例】
本発明に用いた前記対向弾片６を対向枢軸４に固定する手段としては、前述の固定手段以外に、例えば周知の菊座金付きの雄ねじとか接着で対向弾片６の固定基部７を対向枢軸４に抜け止め固定することができ、また、本発明におけるロール紙ホルダＨの平面輪郭形状としては、平面ほぼ「ヨ」字状で従来周知の横隣設一体化ロール紙ホルダＨにも当然に応用実施できる。
さらに、前記紙切り板Ｐの前辺刃先Ｐ１として、例えばポリエステル・エラストマなどの手指に優しく柔軟で表面摩擦が大きい可撓弾性プラスチックで櫛歯状に射出成形した柔軟な刃先板を取着して用いてもよいが、この場合、上記刃先Ｐ１の出面寸法は２〜３ｍｍ程度とし、また各刃先の太さは０．５〜３ｍｍ程度とし、各刃先の突設ピッチは１〜３ｍｍ程度とすることが好ましい。
【００１９】
【発明の効果】
本発明は、以上のような形態を採用したので、以下に記載の効果を奏する。
本発明における請求項１から請求項４までの各発明によれば、ロール紙ホルダＨにおける左右の側体にそれぞれ自己対向復帰のロール紙空心受けを枢支するに当たり、下鍔を有する対向枢軸に先細偏平リング状の対向弾片の固定基部を抜け止め突設し、この対向弾片に下部開放のロール紙空心受けを被せ、その枢支孔を前記対向枢軸に係入した状態で、この対向枢軸の上部に突設した係止鉤縁を前記側体の下部に形成した係止孔縁に係合させることで、対向枢軸を各側体の下部に取着し、これら各側体に対しロール紙空心受けを前記対向弾片に生じた複数の強い直線化復元弾力で対向復帰可能に枢支できたので、これら各ロール紙空心受け２にロール紙Ｒを片手操作で軽快、かつ、確実に枢支セットすることができ、しかも、左右の空心受け２から使用済の芯管ｒを無造作に取り外しても各ロール紙空心受け２は、精確な原状位置に必ず対向自己復帰するという優れた効果が有るほかに、前記対向枢軸上部の係止鉤縁４Ａを側体下部の係止孔縁１Ａにワンタッチで一発定着できたので、側体１の下部にロール紙空心受け２を有する対向枢軸４を簡易な構成で取着でき、ロール紙ホルダＨとしての組立て作業性が大幅に向上したという工業的な効果も有る。
【００２０】
また、本発明に用いた前記対向弾片６は、可撓復元弾性素材を先細偏平リング状に成形したので、前記ロール紙空心受け２に加えた外力とその解除との繰り返しによる前後方向の全体的な「クネリ撓み」変形と自己中立突出復帰という繰り返し動作の都度、対向弾片６に加わる曲げ応力は、交互に対向弾片６全体に分散し、対向弾片６は全体的に満遍なく交互正逆に変形しながら動くから、その内外二つの強制曲がり部６Ａ・６Ｂや膨出曲がり部６Ｃには、それぞれ無理な曲げ応力が集中して加わらず、したがって上記対向弾片６を全体的にクネらせながら交互に撓ませた後、これを自己中立突出復帰させるという動作を長期に亘り多数回繰り返し実行しても、上記各曲がり部には曲がり癖が付くことはなく、対向弾片６の直線化復元弾力には所謂「ヘタリ」が生じないから、ロール紙空心受け２を長期に亘り所定の対向突出位置に原状復帰させ得たという優れた効果も有る。
【００２１】
本発明による請求項５の発明によれば、前記諸効果に加え、前記対向弾片６の固定基部７の先端に抜け止め突部７Ａを突設し、この抜け止め突部７Ａを前記対向枢軸４の側面に弾接させることで、対向枢軸４に対する対向弾片６の抜け止めを施こしたので、対向弾片６の撓み変形とその直線化復元動作を多数回繰り返しても、対向枢軸４から対向弾片６が抜去せず、より一層長期間安定に使用できるという効果を付加できた。
【００２２】
本発明による請求項６の発明によれば、前記諸効果に加え、前記ロール紙空心受け２に空心ｒで回転可能に支持したロール紙Ｒの上部前寄り外周面に前記ロール紙ホルダＨの後側左右枢支部で起伏可能に枢支した紙切り板Ｐの前辺下面を圧接し、この前辺下面を経て前方へ繰り出したロール紙Ｒの繰り出し部を前記紙切り板Ｐの前辺刃先Ｐ１でカット可能となしたので、ロール紙の繰り出しと、その切断とを極めて容易に実行できる使い勝手のよいロール紙ホルダＨを安価に多量製造できるという効果を付加できたし、また本発明おける請求項７の発明によれば、前記対向弾片６をポリエステル・エラストマで先細偏平リング状に射出成形したので、対向弾片６の直線化復元弾力をより一層安定に長期維持できる自己対向復帰のロール紙保持装置を安価に多量製造できるという効果を付加できた。
【図面の簡単な説明】
【図１】本発明の実施形態の一例を示す斜視図とその要部拡大図
【図２】本発明によるロール紙保持装置の組立て前の分解斜視図
【図３】本発明におけるロール紙空心受けの基本動作例を示す横断平面図
【図４】本発明におけるロール紙空心受けの使用動作例を示す横断平面図
【図５】図４に示すものと状態を異にした横断平面図
【図６】図５に示すものと状態を異にした横断平面図
【符号の説明】
Ｈ    ロール紙ホルダ
１    ロール紙ホルダの側体
１Ａ  側体の係止孔縁
２    ロール紙空心受け
２Ａ  空心受けの枢支孔
３    対向枢軸の下鍔
４    対向枢軸
４Ａ  対向枢軸の係止鉤縁
５    対向枢軸の切欠
６    先細偏平リング状の対向弾片
６Ａ・６Ｂ  対向弾片の強制曲がり部
６Ｃ  対向弾片の膨出曲がり部
７    対向弾片の固定基部
７Ａ  固定基部の抜け止め突部
Ｒ    ロール紙やロール巻きシート状物
ｒ    ロール紙空心または芯管
Ｐ    紙切り板
Ｐ１  紙切り板の前辺刃先
【図１】
2004321441.tif 000003
【図２】
2004321441.tif 000004
【図３】
2004321441.tif 000005
【図４】
2004321441.tif 000006
【図５】
2004321441.tif 000007
【図６】
2004321441.tif 000008